(57)【要約】      （修正有）【課題】発電所等の産業設備から排出される排気ガス中のＣＯ２を回収して液化するためのＣＯ２回収液化装置及びＣＯ２回収液化装置を搭載したシステム船を提供する。【解決手段】ＣＯ２回収液化装置は、ＰＳＡ方式でＣＯ２を分離させる手段と、分離したＣＯ２を濃縮して液化ＣＯ２を生成する手段と、生成された液化ＣＯ２を貯留する手段と、を備えたＣＯ２回収液化装置であり、さらに、ＰＳＡ方式でＣＯ２を分離させる手段は、ＬＮＧから冷熱を取り出す手段と、硅石を充填した圧力容器と、前記冷熱を利用して、排気ガスを圧力容器内で冷却する手段と、を備えたものである。【選択図】図１
0003208501.tif 000002
【実用新案登録請求の範囲】
【請求項１】
蓄冷ＰＳＡ
本考案は  大気中のＣＯ２濃度４００ｐｐｍの空気を蓄冷ＰＳＡシステムでＣＯ２濃度３００ｐｐｍに削減する考案。
産業設備は空気（含有ＣＯ２  ４００ｐｐｍ）と化石燃料を使用し、排出ガスは高濃度ＣＯ２を大気中に放出、この排気ガスを収集し、再生可能エネルギー（太陽光、風力発電々力）、都市ガス化時のＬＮＧ冷熱、及び  海水の海水温を活用して、排気ガス中の  高濃度ＣＯ２と水分を附着分離  回収  液化  輸送する。
液化ＣＯ２は近海陸棚部の保圧層に圧入  海底貯留（ＣＣＳ）して、大気中のＣＯ２削減＝温暖化防止対策。
【請求項２】
システム船
本考案は  海上で輸入ＬＮＧ発電と蓄冷ＰＳＡでＣＯ２削減＝温暖化防止する考案。
輸入ＬＮＧを海上の浮遊ＬＮＧ貯槽に受け入れ、ＬＮＧ燃料発電機を稼動、その時のＬＮＧ冷熱を活用、再生可能エネルギーと搭載の蓄冷ＰＳＡシステムで、大気放出中のＣＯ２を濃縮  液化して、
放出ガス中のＣＯ２削減＝温暖化防止対策。
生産された電力と都市ガスは最寄の電気  都市ガスの既設供給設備に接続して生活エネルギー供給化。
【考案の詳細な説明】
【技術分野】
【０００１】１．空気中の混合ガス（ＣＯ２濃度  ４００ｐｐｍ＋水分＝湿度）を清浄化（附着分離）の技術
圧力容器に硅石を充填  冷却、ＣＯ２と水分を冷硅石の表面に凝固（シャーベット状）させ、混合ガスの圧力  流れ方向  温度  を  時間切替し  濃縮度管理で  ガス分離技術。
２．地球温暖化防止技術  ＣＯ２削減対策  推進分野（ＩＰＣＣ  環境省  国立環境研究所）の地球気象技術
３．原発  代替ＬＮＧ発電による多量排出ガス  ＣＯ２削減対策  対応策技術
４．液化天然ガス  液化炭酸ガス  液化空気  等  気体の液化  低温技術
５．非鉄低温材料  不活性ガス溶接と圧力容器の設計  製作  組立配管  断熱工事
６．システム  動力  混合ガス容量  圧力  温度  純度  等、熱カロリーと機器構造設計の低温技術
【背景技術】
【０００２】１．旧蓄冷器型  空気分離装置  水分とＣＯ２除去の低温技術  活用。
２．再生可能エネルギーでの  ＣＯ２の吸着  清浄化法
３．脱原発  ＬＮＧ発電  増加時、ＣＯ２削減の必要性  既設々備（送電  送ガス）の有効活用
４．将来のインフラ  エネルギー供給設備の建設立地条件と合理性（早期完工  安全  安価）の提案
５．世界人口増加  人間生活エネルギー抑制  地球自然環境保全  地球温暖化防止  等の省エネ必要性
【考案の概要】
【考案が解決しようとする課題】
【０００３】  温暖化防止  実用対策
１．システムの動力源を再生可能エネルギー（太陽光  風力発電）で確保。
２．都市ガス化されるＬＮＧ冷熱をＣＯ２削減に活用。
３．産業設備の排ガス量  ＣＯ２濃度  収集方法。
４．液化ＣＯ２の貯留と減災に活用。
５．システム  技術研究  試作実験  場所  開発経費  操業  保守  等の実用推進管理。
【課題を解決するための手段】
【０００４】  再生可能エネルギーの活用
１．海上浮遊システム船からの電力  都市ガス供給と既設設備との供給条件
（現  原発発電所の沖合いに浮遊  ＬＮＧ発電船  貯槽と海底ケーブルとガスパイプ設置条件）
２．ＣＣＳ対策；近海陸棚にＬＣＯ２高圧ポンプで圧入  海底断層条件  震源摩擦歪  地震誘発  等の影響
３．温暖化防止対策実務実行部署の推進状況の把握
４．国内  世界のＣＯ２削減方法の実務把握
【考案の効果】
【０００５】  地球温暖化防止  実用対策
１．化石燃料資源の枯渇問題対策（残化石資源の有効活用）
２．システムは  安全  安価  短期竣工  が可能  ＬＮＧ発電所建設用地の確保
３．排出権利取得  費用の軽減  （産業  発電ガス事業のＣＯ２排出量の軽減）
４．液化ＣＯ２の有効利用（ＣＣＳ  減災  農産物の増産）
５．次世代エネルギー開発（液化ガス  エネルギー化  ＣＮＧ＝ＬＮＧ  ＦＣＶ＝ＬＨ２の開発研究）
６．周辺海域  海底深層資源の開発（メタン  ハイドレートガス  シェールガス）
【図面の簡単な説明】
【０００６】
【図１】  系統図  蓄冷ＰＳＡ  ＣＯ２富化  サイクル  構造  ＣＯ２濃縮  サイクル  構造
【図２】  システム船
【考案を実施するための形態】
【０００７】１．Ｅｘ．Ｇａｓの全体量  ＣＯ２含有量  送圧  温度  等の条件と充填硅石の密度  温度分布  附着条件の実証。
２．ＬＮＧ冷熱の都市ガス化の量  送圧  温度  等の条件
３．再生可能エネルギー量（太陽光  風力発電量）とシステム動力必要量の関係
４．大気空気中のＣＯ２  ４００ｐｐｍから産業設備排気ガスのＣＯ２  ？％、システム放出ガスのＣＯ２  ３００ｐｐｍ  濃度達性に要する為の「システム能力と数、建設経費  期間」
【実施例】
【０００８】１．蓄冷式；空気分離装置の  空気の低温化の為  水分  ＣＯ２除去の必要性からのシステム。
２．ＰＳＡ；ガス分離装置の  低温  混合ガス吸着分離の為  圧力  時間切替  吸着のサイクル。
【産業上の利用可能性】
【０００９】１．地上設備；化石燃料の発電所に  製鉄所  化学工場  ごみ焼却工場  等から収集配管
２．浮遊システム船；輸入ＬＮＧ受入バースが沖合いに  ＬＣＯ２〜ＣＣＳ作業の同一海上性
【符号の説明】
【００１０】１．蓄冷ＰＳＡ；ＬＮＧ冷熱で  自然硅石を冷却  表面にＣＯ２と水分を附着（凝固  シャーベット状）させ圧力  温度  時間（切替）流れ方向変化させ  脱着しガス分離するシステム。
２．ＬＮＧ冷熱；温度は−１６２℃の液化天然ガス  発電  都市ガス化時の冷熱を活用。
３．Ｅｘ．ＧａｓとＯ．Ｇａｓ；産業設備の排気ガスと本システムからの放出ガス
４．富化と濃縮；Ｐｐｍの単位から  ％の単位に分圧を上げる
５．浮遊貯槽；真空断熱  二重  圧力容器（低温液化ガスの収納  輸送  貯蔵  容器）
６．ＣＣＳ；地中深層部に炭酸ガスを圧入  保留
７．空気分離装置；空気から酸素と窒素を低温で分離、この時ＣＯ２は除去の必要がある。
【図１】
0003208501.tif 000003
【図２】
0003208501.tif 000004
【手続補正書】
【提出日】平成27年11月5日(2015.11.5)
【手続補正１】
【補正対象書類名】実用新案登録請求の範囲
【補正対象項目名】全文
【補正方法】変更
【補正の内容】
【実用新案登録請求の範囲】
【請求項１】
蓄冷ＰＳＡ
本考案は  発電所  産業設備はＣＯ２４００ｐｐｍの空気を使用して、ＣＯ２高濃度の排気ガスを大気中に放出。
その排気ガスを集約し、都市ガス化時のＬＮＧ冷熱を活用、ＣＯ２のみ  富化  濃縮  液化し低濃度（ＣＯ２３００ｐｐｍ）化して大気放出する「蓄冷ＰＳＡ」。
システム構成
１．動力；再生可能エネルギー（太陽光  風力  発電力）使用  冷却には海水の水温度活用。
２．輸入ＬＮＧ；都市ガス化時のＬＮＧ冷熱を蓄冷ＰＳＡの自然硅石を冷却に使用。
３．蓄冷ＰＳＡ；低温圧力容器内、充填硅石間にＬＮＧコイルを組込み  サイクル切替で附着  脱着  均衡し排気ガスの乾繰．圧力．温度調整で、ＣＯ２濃度を上昇、ＬＮＧ冷熱で液化（ＬＣＯ２）。
４．ＬＣＯ２；輸送  圧縮性  を活用  近海陸棚の保圧層に圧入貯留（ＣＣＳ）。又海底資源開発  更に地震  震源探査（プレート摩擦部のガス状化で地震の小規模化）の有効な用役ガス源。
自然エネルギーとＬＮＧ冷熱を活用して大気中のＣＯ２削減＝温暖化防止を図る「蓄冷ＰＳＡ」。
【請求項２】
システム船
本考案は  蓄冷ＰＳＡ、ＭＡＣＣ発電機、輸入ＬＮＧの受入浮遊貯槽  自然エネ収集設備  を搭載して海上から生活エネルギー供給と近海海底探査（ＬＣＯ２‐ＣＣＳ）を目的とした「システム船」。
システム構成
１．蓄冷ＰＳＡ；搭載のＬＮＧ‐ＭＡＣＣ発電機の排気ガス浄化とＬＣＯ２化に使用。
２．浮遊ＬＮＧ貯槽；輸入ＬＮＧを海上で受け入れ  広大な太陽光発電パネルが搭載可能とする。
３．ＭＡＣＣ発電機；搭載の蓄冷ＰＳＡのＬＮＧ気化ガスを発電機の燃料ガスとして使用。
４．生活エネルギー供給；ＭＡＣＣ発電々力の送電、蓄冷ＰＳＡの気化ガスを都市ガスとして圧送。
５．ＬＣＯ２活用；圧入貯留（ＣＣＳ）海底資源の開発  地震小規模化  気候変動緩和  用役ガス活用。
海上で、生活エネルギー供給と温暖化防止を図ることを特徴とする請求項１に記載の「システム船」。
【手続補正２】
【補正対象書類名】図面
【補正対象項目名】図２
【補正方法】変更
【補正の内容】
【図２】
0003208501.tif 000005
【手続補正書】
【提出日】平成28年1月25日(2016.1.25)
【手続補正１】
【補正対象書類名】実用新案登録請求の範囲
【補正対象項目名】全文
【補正方法】変更
【補正の内容】
【実用新案登録請求の範囲】
【請求項１】
蓄冷ＰＳＡ方式  ＣＯ２回収液化装置
火力発電所  産業設備等  から排出される  水分  ＣＯ２  ＰＭを含んだ排気ガスを配管収集、太陽光  風力  発電動力で  都市ガス用輸入ＬＮＧ冷熱を活用し  収集の排気ガスを送圧  冷却、冷却硅石表面に  水分  ＣＯ２  ＰＭを附着残留、脱着  均衡  圧力  温度  流れ方向のサイクル変動で  水分  ＰＭを放出、残留ＣＯ２を富化  濃縮  加圧  乾繰  液化する  蓄冷ＰＳＡ方式ＣＯ２回収液化装置。
【請求項２】
ＣＯ２削減  減災のシステム船
近海々上で  太陽光  風力  発電々力を各装置  設備の動力源とし  省ＣＯ２排出  発電機設備、蓄冷ＰＳＡ（請求項１に記載の蓄冷ＰＳＡ）装置、輸入ＬＮＧ受入浮遊貯槽、電気  ガス供給設備、等を搭載、設備からの排気ガス中のＣＯ２は液化、海底深層にＣＣＳ貯留、又  活断層  震源に圧力注入  ガス状化で  地震の小規模化に活用の  ＣＯ２削減  減災のシステム船。
【手続補正書】
【提出日】平成28年4月4日(2016.4.4)
【手続補正１】
【補正対象書類名】実用新案登録請求の範囲
【補正対象項目名】全文
【補正方法】変更
【補正の内容】
【実用新案登録請求の範囲】
【請求項１】
蓄冷ＰＳＡ方式ＣＯ２回収液化装置
火力発電所又は産業設備等から排出される水分ＣＯ２ＰＭを含んだ排気ガスを配管収集、太陽光，風力，発電動力と都市ガス用輸入ＬＮＧ冷熱を活用して収集排気ガスを送圧及び冷却し筒内充填済の冷却硅石表面に水分ＣＯ２Ｐｍを附着残留させ乾繰排気ガス化する。蓄冷ＰＳＡ筒内を流れる乾繰排気ガスの流れ方向，附着，脱着，均衡，圧力，温度，時間の機能はサイクル切替する。附着筒の下層に附着の水分ＰＭを初期放出、附着ＣＯ２は後期送出し富化ＣＯ２化をする。富化ＣＯ２を昇圧しＣＯ２濃縮筒で附着，脱着，均衡，で更にＣＯ２濃度上昇、加圧ＬＮＧ冷熱液化器でＣＯ２液化ＬＣＯ２貯液する蓄冷ＰＳＡ方式ＣＯ２回収液化装置。
【請求項２】
蓄冷ＰＳＡ方式ＣＯ２回収液化装置（システム船）
洋上に太陽光，風力発電動力稼動で搭載のＬＮＧ燃料発電機の排気ガス中のＣＯ２を削減、輸入ＬＮＧ受入浮遊貯槽，電気ガス生活エネルギー供給設備，ＬＣＯ２を減災対策用役に使用、特に船上で液化されたＬＣＯ２の有効な活用として、深海底遮蔽層にＣＣＳ貯留、活断層プレート摩擦地震源にＬＣＯ２高圧液注入でガス状化地震の小規模化を図る事を特徴とする蓄冷ＰＳＡ方式ＣＯ２回収液化装置を搭載するシステム船。
【手続補正書】
【提出日】平成28年6月15日(2016.6.15)
【手続補正１】
【補正対象書類名】実用新案登録請求の範囲
【補正対象項目名】全文
【補正方法】変更
【補正の内容】
【実用新案登録請求の範囲】
【請求項１】
蓄冷ＰＳＡ方式ＣＯ２回収液化装置
火力発電所又は産業設備から排出される水分ＣＯ２ＰＭを含んだ排気ガスを配管収集、太陽光，風力，発電動力と都市ガス用輸入ＬＮＧ冷熱を活用して収集排気ガスを送圧及び冷却し筒内充填済の冷却硅石表面に水分ＣＯ２ＰＭを附着残留させ乾繰排気ガス化、蓄冷ＰＳＡ筒内流の乾繰排気ガスの流れ方向，附着，脱着，均衡，圧力，温度，時間，ＣＯ２濃度管理サイクル機能切替、附着筒下層に附着の水分ＰＭを初期放出、附着ＣＯ２は昇温後期送出、富化ＣＯ２化、更に富化ＣＯ２を昇圧しＣＯ２濃縮筒で附着，脱着，均衡，でＣＯ２濃度上昇  加圧、ＬＮＧ冷熱液化器でＣＯ２液化  ＬＣＯ２貯液する  蓄冷ＰＳＡ方式ＣＯ２回収液化装置。
【請求項２】
蓄冷ＰＳＡ方式ＣＯ２回収液化  ＬＣＯ２減災システム船
電気ガス生活用役生産に必要な原料  輸入ＬＮＧを洋上で受入る浮遊ＬＮＧ貯槽、その上面にシステム動力源生産の太陽光パネル  周辺に海上浮遊風力発電機を配置、蓄冷ＰＳＡ方式ＣＯ２回収液化装置と天然ガス発電機を搭載、稼動発電機が排出する排気ガス中のＣＯ２を回収  液化、省ＣＯ２の生活用役を既設  電気ガス受配設備に供給、回収液化ＣＯ２は液ポンプで高圧ＬＣＯ２化、海底深部に液注入しＣＣＳ貯留、メタンハイドレ‐トガス資源開発、活断層部又プレート摩擦歪部をガス状化で摩擦歪部の破壊  歪分散で  地震  津波の小規模化に活用、ＣＯ２削減と減災を図る為の  蓄冷ＰＳＡ方式ＣＯ２回収液化  ＬＣＯ２減災システム船。
【手続補正書】
【提出日】平成28年8月30日(2016.8.30)
【手続補正１】
【補正対象書類名】実用新案登録請求の範囲
【補正対象項目名】全文
【補正方法】変更
【補正の内容】
【実用新案登録請求の範囲】
【請求項１】
蓄冷ＰＳＡ方式ＣＯ２回収液化装置
太陽光．風力発電々力で装置動力源化し  火力発電所又産業設備からの水分ＣＯ２ＰＭを含む排気ガスを配管収集送圧し水洗冷却後  蓄冷ＰＳＡ装置  富化附着筒（自然硅石充填）下部に流入、ＬＮＧ冷熱で冷却した硅石表面に水分ＣＯ２Ｐｍをシャ‐ベット状に附着させ冷温乾繰排気ガス化水冷温の収集排気ガスを予冷し  富化脱着筒上部より流下、脱着筒下部に附着残留の水分ＣＯ２ＰＭを装置切替機構で脱着筒より冷水筒に水分ＰＭを初期放出する。
切替  後期放出の富化ＣＯ２排気ガスは昇圧  冷却され  濃縮附着筒下部に送入  附着微量の水分ＰＭを脱着させる初短時間切替  放出、濃縮ＣＯ２化排気ガスは加圧  戻り冷温乾繰  濃縮ＣＯ２ガスで冷却乾繰  ＬＮＧ冷熱液化器にてＬＮＧ冷熱で冷却  液化（ＬＣＯ２）化、貯液。
自然用役で  排気ガス中のＣＯ２削減  構想「蓄冷ＰＳＡ方式ＣＯ２回収液化置」。
【請求項２】
蓄冷ＰＳＡ方式ＣＯ２回収液化とＬＣＯ２減災  システム船
電気ガス生産の原料ＬＮＧ冷熱と  太陽光発電板付浮遊ＬＮＧ貯槽  浮遊風力発電設備を近海のシステム船を中心に配船、同船搭載の天然ガス発電ＭＡＣＣ機が排出するＣＯ２を蓄冷ＰＳＡ方式ＣＯ２回収液化装置で回収  ＬＣＯ２化し  減災とＣＯ２削減  に活用する。
排気ガス中のＣＯ２削減された電気ガスは海上から陸上の既設送電設備に接続供給する。
ＬＣＯ２は海底地殻変動調査計測検討の基  船上で  高圧ＬＣＯ２ポンプ化し  深海底遮蔽層に液注入でＣＣＳ貯留量の増大化を図り、メタンハイドレ‐トガス資源（ＭＨ  ガス層のバブリング採取）開発  と  化石資源の枯渇対策として研究開発  具体化を図る。
更に  地震対策として、海底地震活断層部又  プレート移動摩擦歪部のガス状化で  摩擦歪応力や断層破壊歪力の破壊分散で  地震力の弱体化  津波の沈静化を図り  海底地震  津波の小規模化で減災対策の構想。
海上発電船  省ＣＯ２対策  減災  研究「蓄冷ＰＳＡ方式ＣＯ２回収液化とＬＣＯ２減災システ船」。
【手続補正書】
【提出日】平成28年10月28日(2016.10.28)
【手続補正１】
【補正対象書類名】実用新案登録請求の範囲
【補正対象項目名】全文
【補正方法】変更
【補正の内容】
【実用新案登録請求の範囲】
【請求項１】
発電所等の産業設備から排出される排気ガス中のＣＯ２を回収して液化するためのＣＯ２回収液化装置であって、
当該ＣＯ２回収液化装置は、
ＰＳＡ方式でＣＯ２を分離させる手段と、
分離したＣＯ２を濃縮して液化ＣＯ２を生成する手段と、
生成された液化ＣＯ２を貯留する手段と、を備えたＣＯ２回収液化装置であり、
さらに、前記ＰＳＡ方式でＣＯ２を分離させる手段は、
ＬＮＧから冷熱を取り出す手段と、
硅石を充填した圧力容器と、
前記冷熱を利用して、前記排気ガスを前記圧力容器内で冷却する手段と、
を備えたものであることを特徴とする、ＣＯ２回収液化装置。
【請求項２】
請求項１に記載したＣＯ２回収液化装置を搭載したシステム船であって、
浮遊ＬＮＧ貯留槽のＬＮＧを用いてＬＮＧ発電機を稼動して発電する手段と、
当該ＬＮＧがガス化する際に前記冷熱を取り出すための手段と、を備えていることを特徴とする、システム船。